(57)【要約】【課題】取手が金型から外れにくくなってしまうという製造上の問題を解消する空気調和装置の室外機及びそれを備えた空気調和装置を提供することを目的としている。【解決手段】２つの部品が嵌合して構成された取手を有する。【選択図】図３
2014095533.tif 000002
【特許請求の範囲】
【請求項１】
２つの部品が嵌合して構成された取手を有する
ことを特徴とする空気調和装置の室外機。
【請求項２】
前記２つの部品のうちの一方である第１部品は、
当該第１部品の上側に、第２部品が取り付けられる第１開口部が形成され、
前記室外機の取付位置に対応して形成される位置が決定され、手指を挿入する際に利用される第２開口部が形成され、
前記２つの部品のうちの他方である前記第２部品は、
前記取手のうちの前記第２開口部の形成された面の対向面側の一部を構成する第２部品対向部と、前記取手のうちの天面側を構成する第２部品天面部とを有し、
前記第２部品天面部が、前記取手の内部空間が広くなるように、前記第第１部品の上端と同じ高さ、又は当該上端よりも上側にくるように形成されている
ことを特徴とする請求項１に記載の空気調和装置の室外機。
【請求項３】
前記第２部品は、
前記第１部品との接触部分のうちの前記第２部品対向部の下端側が、略水平方向と平行となるように形成され、
前記第１部品は、
略水平方向と平行に形成された前記第２部品対向部の下端側に対応するように、前記第１開口部のうちの前記第２部品対向部の下端側との接触部分が、略水平方向と平行に形成され、
前記第１部品と前記第２部品とが、
前記接触部分において密着するように固定されている
ことを特徴とする請求項２に記載の空気調和装置の室外機。
【請求項４】
前記第２部品は、
前記第１部品との接触部分のうちの前記第２部品対向部の側方端部側に、当該側方端部側が折り返されるように形成された折り返し部を有し、
前記第１部品は、
前記折り返し部が形成された前記第２部品対向部の側方端部側に対応するように、前記第１開口部のうちの前記第２部品対向部の側方端部側との接触部分に、前記折り返し部が接続される溝部を有する
ことを特徴とする請求項２又は３に記載の空気調和装置の室外機。
【請求項５】
前記第２部品は、
前記第１部品との接触部分のうちの前記第２部品対向部の側方端部側の下側に、第２部品爪部を有し、
前記第１部品は、
前記第２部品爪部が形成された前記第２部品対向部の側方端部側の下側に対応するように、前記第１開口部のうちの前記第２部品対向部の側方端部側の下側との接触部分に、前記第２部品爪部と嵌合する第１部品爪部を有する
ことを特徴とする請求項２〜４のいずれか一項に記載の空気調和装置の室外機。
【請求項６】
前記第１部品は、
前記取手のうちの底面側を構成する底面部を有し、
当該底面部が、
前記室外機の内側から外側に向かって下側に傾斜するように形成されている
ことを特徴とする請求項２〜５のいずれか一項に記載の空気調和装置の室外機。
【請求項７】
前記第１部品には、
前記第２開口部が形成された面の周縁にフランジ部が形成され、
前記第２部品は、
前記第２部品の外側面に凸部が形成され、
前記取手は、
前記第１部品の前記フランジ部と前記第２部品の凸部との間に、前記室外機の外郭の端面がくるようにして当該室外機に固定された
ことを特徴とする請求項２〜６のいずれか一項に記載の空気調和装置の室外機。
【請求項８】
請求項１〜７に記載の前記室外機と、室内機とを備えた
ことを特徴とする空気調和装置。
【発明の詳細な説明】
【技術分野】
【０００１】
本発明は、空気調和装置の室外機及びそれを備えた空気調和装置に関し、特に、室外機の搬送に利用される取手に関するものである。
【背景技術】
【０００２】
空気調和装置の室外機には、室外機を設置する業者などが、室外機の搬送をしやすくする取手が設けられたものが提案されている（たとえば、特許文献１参照）。
特許文献１に記載の技術は、板金などで構成される外郭パネルの平面部又は角部に設けられた開口部分に取手が取り付けられており、作業者が取手に指を挿入して取手を把持することを可能としている。
このため、特許文献１に記載の技術は、取手を有しない室外機と比較すると、室外機を搬送する際の作業性を向上させることができるようになっている。
【先行技術文献】
【特許文献】
【０００３】
【特許文献１】特開平８−９４１２７号公報（たとえば、請求項１、明細書の段落［００１６］、及び図１参照）
【発明の概要】
【発明が解決しようとする課題】
【０００４】
特許文献１に記載の技術は、ポリプロピレン（ＰＰ）などの合成樹脂を材料とし、金型による射出成形を行うことで、一体成形品としての取手を生産している。このように、一体成形品の取手を得るため、射出成形後に取手を金型から取り出すことを考慮しなければならず、取手の形状には制限がある。すなわち、合成樹脂が金型に射出された後に、金型が開かれて、成型された取手が金型から取り出されるが、取手の成型形状によっては金型と取手とが引っかかってしまい、金型から取手が円滑に外れにくくなってしまう場合がある。
【０００５】
このように、特許文献１に記載の技術は、取手の形状には制限があるため、指を挿入する空間が大きくなるように取手の形状を設定しにくくなる分、作業者が取手に指を挿入しづらくなってしまい、室外機を搬送する際の作業性が低下してしまうという課題があった。
【０００６】
本発明は、以上のような課題のうちの少なくとも１つを解決するためになされたもので、取手が金型から外れにくくなってしまうという製造上の問題を解消する空気調和装置の室外機及びそれを備えた空気調和装置を提供することを目的としている。
【課題を解決するための手段】
【０００７】
本発明に係る空気調和装置の室外機は、２つの部品が嵌合して構成された取手を有するものである。
【発明の効果】
【０００８】
本発明に係る空気調和装置の室外機によれば、上記構成を有しているので、取手が金型から外れにくくなってしまうという製造上の問題を解消することができる。
【図面の簡単な説明】
【０００９】
【図１】本発明の実施の形態に係る空気調和装置の室外機の正面側の斜視図である。
【図２】図１に示す室外機の後面側の斜視図である。
【図３】取手の構成を説明するための模式図である。
【図４】取手を構成する一方の部品の説明図である。
【図５】取手を構成する他方の部品の説明図である。
【図６】図４の部品と、図５の部品とを組み立てた状態の説明図である。
【図７】図６のＡ−Ａ断面図である。
【発明を実施するための形態】
【００１０】
以下、本発明の実施の形態を図面に基づいて説明する。
実施の形態１．
図１は、実施の形態１に係る空気調和装置の室外機１の正面側の斜視図である。図２は、図１に示す室外機１の後面側の斜視図である。図１及び図２を参照して、室外機１について説明する。
本実施の形態１に係る空気調和装置の室外機１は、室外機１に設けられ、室外機１の搬送時に利用される取手２ａ〜２ｄに改良が加えられたものであり、取手の形状に課せられる製造上の制限を抑制することができるものである。
【００１１】
［室外機１の構成］
空気調和装置は、図示省略の室内機と、室外機１とを有し、これらが冷媒配管で接続されて構成されている。なお、室内機は、冷房運転時に蒸発器として機能し、暖房運転時に凝縮器として機能する図示省略の室内熱交換器などを有している。以下に、室外機１の構成について説明する。
【００１２】
（室外機１）
室外機１の外郭は、図１及び図２に示すように、室外機１の上面を構成する天面パネル１ａと、室外機１の前面の一部、一方の側面及び後面の一部を構成する外郭パネル１ｂと、室外機１の他方の側面を構成する側面パネル１ｃと、外郭パネル１ｂに設けられ、室外機１の前面の一部を構成するファンガード１ｄと、室外機１の底面を構成する底板１ｅとによって構成されている。
また、室外機１の外郭には、作業者が室外機１を搬送する際に利用することができる取手２ａ〜２ｄが取り付けられている。
さらに、室外機１は、冷媒を圧縮する圧縮機、冷房運転時に凝縮器として機能し、暖房運転時に蒸発器として機能する室外熱交換器１５、この室外熱交換器１５に室外空気を供給するプロペラファン１ｆなどが、上述の室外機１の外郭内に搭載されている。なお、図２に示すように、室外機１の後面のうち外郭パネル１ｂ以外の部分は、部分的に開放されているため、室外熱交換器１５の後面側は露出する。
【００１３】
（天面パネル１ａ）
天面パネル１ａは、室外機１の上面を構成するものである。天面パネル１ａは、前側端部、一方の側方端部、及び後側端部が外郭パネル１ｂと接触して設けられ、他方の側方端部が側面パネル１ｃと接触して設けられている。
【００１４】
（外郭パネル１ｂ）
外郭パネル１ｂは、室外機１の後面側の一部、一方の側面側、前面側の一部、及び他方の側面側の一部を構成するものである。外郭パネル１ｂは、下端部が底板１ｅと接触して設けられ、上端部が天面パネル１ａと接触して設けられている。
また、外郭パネル１ｂのうち他方の側面側の端部は、側面パネル１ｃと接触して設けられている。さらに、外郭パネル１ｂのうち前面構成部分の中央部には、プロペラファン１ｆが設けられる略円形の開口部が上下に２つ形成され、ファンガード１ｄが取り付けられている。
【００１５】
なお、外郭パネル１ｂのうち、室外機１の後面側の構成部分と一方の側面側の構成部分との接続位置に対応する角部には、取手２ｃが取り付けられるように開放されている。また、外郭パネル１ｂのうち、室外機１の一方の側面側の構成部分と前面側の構成部分との接続位置に対応する角部には、取手２ｂが取り付けられるように開放されている。外郭パネル１ｂのうち、室外機１の前面側の構成部分と他方の側面側の構成部分との接続位置に対応する角部には、取手２ａが取り付けられるように開口形成されている。
【００１６】
（側面パネル１ｃ）
側面パネル１ｃは、室外機１の他方の側面の一部、及び後面側の一部を構成するものである。すなわち、側面パネル１ｃは、水平断面形状が略Ｌ字状となっている。側面パネル１ｃは、前側端部が外郭パネル１ｂと接触して設けられ、上端部が天面パネル１ａと接触して設けられ、下端部が底板１ｅと接触して設けられている。側面パネル１ｃには、室外熱交換器１５に空気が取り込まれやすくするため、複数の開口部１ｃｃが形成されている。
なお、側面パネル１ｃのうち、室外機１の後面側の一部の構成部分と他方の側面側の構成部分との接続位置に対応する角部には、取手２ｄが取り付けられるように開口形成されている。
【００１７】
（ファンガード１ｄ）
ファンガード１ｄは、室外機１の前面の一部を構成し、たとえばユーザーなどがプロペラファン１ｆでケガをすることを防止するものである。ファンガード１ｄは、外郭パネル１ｂのうち前面構成部分の中央部に形成された略円形の開口部に取り付けられている。なお、ファンガード１ｄは、プロペラファン１ｆが設けられる略円形の２つの開口部に対応して、上下に１つずつ、計２つ設けられている。
【００１８】
（底板１ｅ）
底板１ｅは、室外機１の底面を構成するものである。底板１ｅ上には、図示省略の室外熱交換器１５などが設けられている。底板１ｅの前側端部、一方の側方端部及び後側端部は、外郭パネル１ｂと接触しており、外郭パネル１ｂを支持している。また、底板１ｅの他方の側方端部は、側面パネル１ｃと接触しており、側面パネル１ｃを支持している。
【００１９】
（取手２ａ〜２ｄ）
取手２ａ〜２ｄは、作業者の手指を挿入する空間を有するものであり、作業者が室外機１を搬送する際に利用されるものである。この取手２ａ〜２ｄは、たとえばポリプロピレンなどの樹脂を所定の金型に射出することで得られる成形品である。
取手２ｂ及び取手２ｃは、室外機１の外郭の一方の側面側に設けられている。なお、取手２ｂは、室外機１の外郭の前面側に設けられ、取手２ｃは、室外機１の外郭の後面側に設けられている。
取手２ａ及び取手２ｄは、室外機１の外郭の他方の側面側に設けられている。なお、取手２ａは、室外機１の外郭の前面側に設けられ、取手２ｄは、室外機１の外郭の後面側に設けられている。
なお、取手２ａ〜２ｄの詳細な構成については、図３〜図７の説明で述べる。
【００２０】
（室外熱交換器１５）
室外熱交換器１５は、冷房運転時に凝縮器（放熱器）として機能し、暖房運転時に蒸発器として機能するものである。室外熱交換器１５は、室外機１の外郭内であって底板１ｅ上に立設するように設けられている。なお、図２に示すように、室外熱交換器１５の後面側は、空気と冷媒との熱交換が促進されるように露出している。
【００２１】
（プロペラファン１ｆ）
プロペラファン１ｆは、室外熱交換器１５に外気を供給するためのものである。プロペラファン１ｆは、自身を回転させるための図示省略のモーターにシャフトを介して接続されている。なお、この電動機は、たとえば、室外熱交換器１５に懸架される図示省略のモーターサポートによって室外機１の外郭内に支持されている。なお、プロペラファン１ｆは、外郭パネル１ｂに形成された略円形の開口部に１つずつ、計２つ設けられている。
【００２２】
［取手２ａ〜２ｄの詳細説明１］
図３は、取手２ａ〜２ｄの構成を説明するための模式図である。図３（ａ）は、取手２ａ〜２ｄの部品３の模式図であり、図３（ｂ）は取手２ａ〜２ｄの部品４の模式図であり、図３（ｃ）は、部品３と部品４を組み合わせて取手２ａ〜２ｄとした状態の模式図である。なお、図３は、模式図であるため、部品３及び部品４の厚みは考慮していない。
図４は、取手２ａ〜２ｄを構成する一方の部品３の説明図である。図５は、取手２ａ〜２ｄを構成する他方の部品４の説明図である。図４（ａ）及び図５（ａ）は正面側から見た図、図４（ｂ）及び図５（ｂ）は天面側から見た図、図４（ｃ）及び図５（ｃ）は底面側から見た図、図４（ｄ）及び図５（ｄ）は正面に対して左の側面側（他方の側面側）から見た図、図４（ｅ）及び図５（ｅ）は正面に対して右の側面側（一方の側面側）から見た図、図４（ｆ）及び図５（ｆ）は後面側から見た図である。
【００２３】
取手２ａ〜２ｄは、図３に示すように、２つの部品から構成され、作業者の手指を挿入することができる空間を有する容器状部材である。
すなわち、取手２ａ〜２ｄは、取手２ａ〜２ｄの「前面側、一方の側面側の一部、他方の側面側、後面側の一部、及び底面側」を構成する「前面部３Ａ、第１側面部３Ｂ、第２側面部３Ｃ、後面部３Ｄ、及び底面部３Ｅ」を有する部品３を有している。また、取手２ａ〜２ｄは、取手２ａ〜２ｄの「天面側、他方の側面側の一部、及び後面側の一部」を構成する「天面部４Ａ、側面部４Ｂ、及び後面部４Ｃ」を有する部品４を有している。
また、部品３は、作業者が手指を挿入することができるように形成された前面開口部３ａ及び側面開口部３ｂと、第１側面部３Ｂの上部、及び、後面部３Ｄの上部に部品４が取り付けられるように形成された上側開口部３ｃとの計３つの開口を有している。
なお、この取手２ａ〜２ｄは、前面開口部３ａ及び側面開口部３ｂから、取手２ａ〜２ｄ内の空間であって前面開口部３ａ及び側面開口部３ｂよりも上側の空間へ、作業者が手指を挿入した状態で、作業者が取手２ａ〜２ｄを握持することができるようになっているものである。これにより、作業者は、室外機１を持ち上げたり、室外機１を水平方向にずらしたりすることができる。
【００２４】
（部品３の前面部３Ａ）
部品３は、取手２ａ〜２ｄの前面側を構成する前面部３Ａを有している。前面部３Ａには、作業者が手指を取手２ａ〜２ｄ内に差し込めるように前面開口部３ａが形成されている。
前面部３Ａの他方の側方端は、上下方向に沿って溝部７ｂが形成されている。部品３と部品４とは、この溝部７ｂに、部品４の後面部４Ｃに形成された折り返し部１０ｂが差し込まれるように、組み立てられる。
前面部３Ａには、作業者が取手２ａ〜２ｄに手指を挿入して室外機１を握持した際に、作業者の手のひら等が当接する部分にリブ部３ＡＡが形成されている。このリブ部３ＡＡにより、作業者の手にかかる圧力が軽減され、室外機１の運搬時の作業者の負荷を抑制することができる。
なお、前面部３Ａの上端には、部品３と部品４とを嵌合させる凸部６が形成されている。
【００２５】
（部品３の第１側面部３Ｂ）
部品３は、取手２ａ〜２ｄの一方の側面側を構成する第１側面部３Ｂを有している。第１側面部３Ｂの下側には、作業者が手指を取手２ａ〜２ｄ内に差し込めるように側面開口部３ｂが形成されている。このように、部品３は、この側面開口部３ｂと、部品３の前面側に形成された前面開口部３ａとにおいて、連続的に開放されている。このため、作業者は、前面開口部３ａ及び側面開口部３ｂを介して取手２ａ〜２ｄに手指を挿入することができ、室外機１を搬送する際の作業性の低下を抑制することができるようになっている。
第１側面部３Ｂの後側端は、上下方向に沿って溝部７ｂが形成されている。部品３と部品４とは、この溝部７ｂに、部品４の後面部４Ｃに形成された折り返し部１０ｂが差し込まれるように、組み立てられる。
第１側面部３Ｂには、前面部３Ａと同様に、リブ部３ＢＢが形成されている。このリブ部３ＢＢは、リブ部３ＡＡから連続的に形成されている。
なお、第１側面部３Ｂは、その前側端部が前面部３Ａに接続され、後側端部が後面部３Ｄに接続されている。
【００２６】
（部品３の第２側面部３Ｃ）
部品３は、取手２ａ〜２ｄの他方の側面側を構成する第２側面部３Ｃを有している。この第２側面部３Ｃに部品４が設けられることで、取手２ａ〜２ｄの他方の側面の全体が構成される。
第２側面部３Ｃの上端には密着面７ａが形成されている。部品３と部品４とは、この密着面７ａと、部品４の下端側に形成された密着面１０ａとが密着するように、組み立てられる。
第２側面部３Ｃの前側には、部品３と部品４とを嵌合させる爪部８ｂが形成されている。部品３と部品４とは、この爪部８ｂと、部品４に形成された爪部１１ｂとが嵌合するように、組み立てられる。
なお、第２側面部３Ｃは、その前側端部が前面部３Ａに接続され、後側端部が後面部３Ｄに接続され、下側端部が底面部３Ｅに接続されている。
【００２７】
（部品３の後面部３Ｄ）
部品３は、取手２ａ〜２ｄの後面側を構成する後面部３Ｄを有している。後面部３Ｄの上側に、部品４が設けられることで、取手２ａ〜２ｄの後面の全体が構成される。
後面部３Ｄの上端には密着面７ａが形成されている。部品３と部品４とは、この密着面７ａと、部品４の下端側に形成された密着面１０ａとが密着するように、組み立てられる。
後面部３Ｄのうちの一方の側方側は、略垂直な面を有している。その一方で、部品３の後面側のうち他方の側方側は、他方の側方側に向かうほど、部品３の後面側から前面側に向かうように湾曲する湾曲部３ＤＤを有している。このように、部品３は湾曲部３ＤＤを有するので、取手２ａ〜２ｄが室外機１内に搭載された室外熱交換器１５や配管などに干渉してしまいにくく、室外熱交換器１５や配管などを損傷させてしまうことを抑制することができる。すなわち、取手２ａ〜２ｄは、作業者の手指を挿入しやすいように部品３及び部品４によって形成される空間を拡大するようにしているが、当該空間を拡大しても、室外熱交換器１５や配管などを損傷させてしまうことを抑制することができるということである。
後面部３Ｄの一方の側方側には、部品３と部品４とを嵌合させる爪部８ａが形成されている。部品３と部品４とは、この爪部８ａと、部品４の後面側であって一方の側方側に形成された爪部１１ａとが嵌合するように、組み立てられる。
なお、後面部３Ｄは、一方の側方端部が第１側面部３Ｂに接続され、他方の側方端部が第２側面部３Ｃに接続され、下側端部が底面部３Ｅに接続されている。
【００２８】
（部品３の底面部３Ｅ）
部品３は、取手２ａ〜２ｄの底面側を構成する底面部３Ｅを有している。底面部３Ｅには、第２側面部３Ｃと、後面部３Ｄとが立設している。この底面部３Ｅは、水平面に対して傾斜している。すなわち、底面部３Ｅは、取手２ａ〜２ｄが組み立てられた状態における対向面となる上面に対して平行となっておらず、傾斜している（図７参照）。
このように、底面部３Ｅは傾斜しているため、取手２ａ〜２ｄを室外機１に取り付ける際に、この傾斜が逃げとなる。すなわち、取手２ａ〜２ｄを室外機１に取り付ける際に、取手２ａ〜２ｄが外郭パネル１ｂ及び側面パネル１ｃの端面に引っかかってしまうことを抑制することができ、取手２ａ〜２ｄを室外機１に取り付けしやすくなっている。
【００２９】
次に、取手２ａ〜２ｄを室外機１に取り付ける際に利用されるフランジ部１４Ａ〜１４Ｆについて説明する。
前面部３Ａの上端側には、図４（ｆ）に示すように、フランジ部１４Ａが形成されている。また、前面部３Ａの他方の側方端部から、第２側面部の前側端部にかけてフランジ部１４Ｂが形成されている。さらに、底面部３Ｅの前側端部には、フランジ部１４Ｄが形成されている。
第１側面部３Ｂの上端側には、図４（ｄ）に示すように、フランジ部１４Ｄが形成されている。また、第１側面部３Ｂの後側端部から、後面部の一方の側方端部にかけてフランジ部１４Ｅが形成されている。さらに、底面部３Ｅの一方の側方端部には、フランジ部１４Ｆが形成されている。
なお、図４では、フランジ部１４Ａ〜１４Ｅは、連続的に形成されているものとして説明しているが、それに限定されるものではなく、一部が途切れていてもよい。
【００３０】
（部品４の天面部４Ａ）
部品４は、取手２ａ〜２ｄの天面側を構成する天面部４Ａを有している。天面部４Ａの前側端部には、部品３の凸部６と嵌合する天面穴９が形成されている。また、部品４には、側面部４Ｂと、後面部４Ｃとが立設している。
なお、天面部４Ａと側面部４Ｂとは略直交するように接続されており、また、天面部４Ａと後面部４Ｃとにおいても、略直交するように接続されている。これにより、取手２ａ〜２ｄの内部空間が狭くなることを抑制し、作業者の手指を挿入する空間をより確実に確保することができるようになっている。
なお、本実施の形態では、天面部４Ａと、側面部４Ｂ及び後面部４Ｃとが、「略直交」するように接続されていると述べたが、それに限定されるものではない。たとえば、天面部４Ａは、前面部３Ａの上端位置及び第１側面部３Ｂの上端位置よりも上側となるように設けられていれば、作業者の手指を挿入する空間をより確実に確保することができる。
【００３１】
（部品４の側面部４Ｂ）
部品４は、部品３の第２側面部３Ｃとともに、取手２ａ〜２ｄの他方の側面側を構成する側面部４Ｂを有している。側面部４Ｂは、第２部品対向部の一部である。側面部４Ｂの下端には、部品３と部品４とが組み立てられた状態で、部品３の密着面７ａに接触する密着面１０ａが形成されている。側面部４Ｂの前側には、部品３の爪部８ｂと嵌合する爪部１１ｂが形成されている。
側面部４Ｂの前側端は、取手２ａ〜２ｄの他方の側面側から前面側に向かって折り返されるように、折り返し部１０ｂが上下方向に沿って形成されている。すなわち、側面部４Ｂの前側端は、水平断面が、略Ｌ字状となっている。この折り返し部１０ｂは、部品３の前面部３Ａの溝部７ｂに差し込まれて、部品３と部品４とが組み立てられる。
【００３２】
（部品４の後面部４Ｃ）
部品４は、部品３の後面部３Ｄとともに、取手２ａ〜２ｄの後面側を構成する後面部４Ｃを有している。後面部４Ｃは、第２部品対向部の一部である。後面部４Ｃの下端には、部品３と部品４とが組み立てられた状態で、部品３の密着面７ａに接触する密着面１０ａが形成されている。
後面部４Ｃのうちの一方の側方側は、略垂直な面を有している。その一方で、部品４の後面側のうち他方の側方側は、他方の側方側に向かうほど、部品３の後面側から前面側に向うように湾曲する湾曲部４ＣＣを有している。このように、後面部４Ｃは、部品３の後面部３Ｄと対応するように湾曲部４ＣＣを有しており、室外熱交換器１５や配管などを損傷させてしまうことを抑制することができる。後面部４Ｃの一方の側方側には、部品３の爪部８ａと嵌合する爪部１１ａが形成されている。
後面部４Ｃの一方の側方側は、取手２ａ〜２ｄの後面側から一方の側面側に向かって折り返されるように、折り返し部１０ｂが上下方向に沿って形成されている。すなわち、後面部４Ｃの一方の側方側は、水平断面が略Ｌ字状となっている。この折り返し部１０ｂは、部品３の第１側面部３Ｂの溝部７ｂに差し込まれて、部品３と部品４とが組み立てられる。
【００３３】
なお、「部品３の密着面７ａと、部品４の密着面１０ａとの接続」と「部品３の溝部７ｂと、部品４の折り返し部１０ｂとの接続」によって部品３と部品４との水平方向の強度を確保することが可能となっている。
また、部品３の爪部８ａ、８ｂと、部品４の爪部１１ａ、１１ｂとの接続によって部品３と部品４との鉛直方向の強度を確保することが可能となっている。
【００３４】
（取手２ａ〜２ｄの詳細説明２）
図６は、図４の部品と、図５の部品とを組み立てた状態の説明図である。図７は、図６のＡ−Ａ断面図である。図６及び図７を参照して、取手２ａ〜２ｄの構成についてさらに説明する。なお、図６（ａ）は正面側から見た図、図６（ｂ）は天面側から見た図、図６（ｃ）は正面に対して左の側面側（他方の側面側）から見た図、図６（ｄ）は正面に対して右の側面側（一方の側面側）から見た図、図６（ｅ）は後面側から見た図である。
【００３５】
実施の形態１では、取手２ａ〜２ｄは、室外機１の外郭パネル１ｂ及び側面パネル１ｃの角部への取り付けを前提としている。このため、外郭パネル１ｂ及び側面パネル１ｃに形成された角部の開口に取手２ａ〜２ｄを嵌合させる。ここで、取手２ａ〜２ｄには、凸部１２ａ〜１２ｆが形成されており、凸部１２ａ〜１２ｆを利用することで取手２ａ〜２ｄを、上述の角部の開口に嵌合させる。凸部１２ａ〜１２ｆについて以下に説明する。
【００３６】
凸部１２ａは、部品４の天面部４Ａの前側に形成されている。凸部１２ａと、フランジ部１４Ａとの間には、所定の間隔が設けられている（図７のＳ１参照）。すなわち、室外機１の内部構造側に設けられる凸部１２ａと、フランジ部１４Ａとの間に、外郭パネル１ｂ或いは側面パネル１ｃの端面が嵌め込まれる。
【００３７】
凸部１２ｂは、部品４の天面部４Ａの一方の側方側に形成されている。凸部１２ｂと、フランジ部１４Ｄとの間には、所定の間隔が設けられている。すなわち、室外機１の内部構造側に設けられる凸部１２ｂと、フランジ部１４Ｄとの間に、外郭パネル１ｂ或いは側面パネル１ｃの端面が嵌め込まれる。
【００３８】
凸部１２ｃは、部品３の底面部３Ｅの一方の側方側に形成されている。凸部１２ｃと、フランジ部１４Ｆとの間には、所定の間隔が設けられている。すなわち、室外機１の内部構造側に設けられる凸部１２ｃと、フランジ部１４Ｆとの間に、外郭パネル１ｂ或いは側面パネル１ｃの端面が嵌め込まれる。
【００３９】
凸部１２ｄは、部品３の底面部３Ｅの前側に形成されている。凸部１２ｄと、フランジ部１４Ｃとの間には、所定の間隔が設けられている（図７のＳ２参照）。すなわち、室外機１の内部構造側に設けられる凸部１２ｄと、フランジ部１４Ｃとの間に、外郭パネル１ｂ或いは側面パネル１ｃの端面が嵌め込まれる。
【００４０】
凸部１２ｅは、部品３の第２側面部３Ｃと、部品４の側面部４Ｂとに形成されている。凸部１２ｅと、フランジ部１４Ｂとの間には、所定の間隔が設けられている。すなわち、室外機１の内部構造側に設けられる凸部１２ｅと、フランジ部１４Ｂとの間に、外郭パネル１ｂ或いは側面パネル１ｃの端面が嵌め込まれる。
【００４１】
凸部１２ｆは、部品３の後面部３Ｄと、部品４の後面部４Ｃとに形成されている。凸部１２ｆと、フランジ部１４Ｅとの間には、所定の間隔が設けられている。すなわち、室外機１の内部構造側に設けられる凸部１２ｆと、フランジ部１４Ｅとの間に、外郭パネル１ｂ或いは側面パネル１ｃの端面が嵌め込まれる。
【００４２】
このように、取手２ａ〜２ｄは、室外機１の外郭パネル１ｂ及び側面パネル１ｃに嵌め込まれることにより、取手２ａ〜２ｄの水平方向及び鉛直方向の動きが抑制される。
【００４３】
［本実施の形態に係る空気調和装置の室外機１の有する効果］
本実施の形態に係る空気調和装置の室外機１は、内部空間を拡大するように形成された部品３及び部品４から構成される取手２ａ〜２ｄを有しているので、作業者の手指を挿入しやすく、室外機１を搬送する際の作業性の低下を抑制することができる。
たとえば、従来の取手では、射出成形された取手を金型から取り出す動作が容易となるように、取手の上側部分を、前面側から後面側にかけて曲面的に傾斜させるような形状としていた。このように、取手の上側部分を、前面側から後面側にかけて傾斜させる分、取手の内部空間が狭くなり、作業者の手指を挿入しにくいものであった。しかし、本実施の形態に係る空気調和装置の室外機１の取手２ａ〜２ｄでは、「部品４に対して後面部４Ｃが略直交」或いは「前面部３Ａ及び第１側面部３Ｂの上端側より上側」としており、取手２ａ〜２ｄの内部空間が狭くなることを抑制し、作業者の手指が挿入しやすくなっている。
【００４４】
本実施の形態に係る空気調和装置の室外機１は、取手２ａ〜２ｄが、部品３及び部品４の２つの部品から構成されている。
仮に、取手２ａ〜２ｄが１つの部品から一体的に構成されている場合には、次のような問題が生じる場合がある。すなわち、底面部３Ｅに対応する部分は取手２ａ〜２ｄの後面側（後面部３Ｄ及び後面部４Ｃ側）に対して傾斜しているものの、天面部４Ａに対応する部分は取手２ａ〜２ｄの後面側に傾斜していない。この傾斜していない部分は金型に引っかかってしまいやすいため、取手２ａ〜２ｄが金型から取り外しにくくなり、製造上の問題が発生してしまう。
一方、本実施の形態に係る空気調和装置の室外機１の取手２ａ〜２ｄは、部品３及び部品４の２つの部品から構成されているので、取手２ａ〜２ｄが金型から外れにくくなるという問題が生じにくくなっている。
【００４５】
本実施の形態に係る空気調和装置の室外機１は、取手２ａ〜２ｄの爪部８ａ、爪部８ｂ、爪部１１ａ及び爪部１１ｂと、密着面７ａ及び密着面１０ａと、溝部７ｂ及び折り返し部１０ｂと、凸部６及び天面穴９とが、全て非意匠面に設けられている。すなわち、この取手２ａ〜２ｄを構成する部品３と部品４を嵌合することを目的として設けられている構造は、室外機１の意匠性が低減してしまうことがないようになっている。
【００４６】
本実施の形態に係る空気調和装置の室外機１は、取手２ａ〜２ｄが、密着面７ａ及び密着面１０ａを境界として「互い違いの構造」となっているため、当該「境界が水平方向」となっている。すなわち、部品３の前面部３Ａの対向面側と、底面部３Ｅの対向面側と、第１側面部３Ｂの対向面側とが上側開口部３ｃとなっており、この上側開口部３ｃの部分に部品４が設置されているということである。
このため、取手２ａ〜２ｄは、降雨などにより取手２ａ〜２ｄの内部に水が侵入したとしても、「境界が水平方向」という構成を有するため、取手２ａ〜２ｄの内部で重力方向（鉛直方向）に進行する水滴が、当該境界から室外機１の内部に侵入してしまいにくい。すなわち、取手２ａ〜２ｄが２つの部品３及び部品４より構成されているため、部品３と部品４との境界部分が室外機１の内部側にできてしまうが、取手２ａ〜２ｄが、「境界が水平方向」という構成を有するため、室外機１の内部へ水滴が侵入する可能性を低減することができる。
たとえば、室外機１内には、圧縮機などを駆動するのに利用される各種の電気機器などが搭載されているため、この電気機器などがショートしてしまったりすることを抑制することができる。
【００４７】
本実施の形態においては、２つの互いに異なる形状を有した部品３と部品４によって取手２ａ〜２ｄが構成されているものとして説明したが、それに限定されるものではない。取手２ａ〜２ｄとは異なる形状の取手とはなるが、たとえば右側の部品と左側の部品と同一の形状とし、それらを組み合わせることで取手を構成するようにしてもよい。このように、互いに同一の形状を有した部品からなる取手であっても、本実施の形態に係る空気調和装置の室外機１の取手２ａ〜２ｄと同様の効果を得ることができる。
【００４８】
また、実施の形態においては、空気調和機の室外機１の外郭パネル１ｂ及び側面パネル１ｃの角部への取り付けを前提としていたが、それに限定されるものではない。たとえば、室外機１の外郭パネル１ｂ及び側面パネル１ｃの平面部に、取手２ａ〜２ｄを取り付けても、本実施の形態に係る空気調和装置の室外機１の取手２ａ〜２ｄと同様の効果を得ることができる。
【符号の説明】
【００４９】
１  室外機、１ａ  天面パネル、１ｂ  外郭パネル、１ｃ  側面パネル、１ｃｃ  複数の開口部、１ｄ  ファンガード、１ｅ  底板、１ｆ  プロペラファン、２ａ〜２ｄ  取手、３  部品（第１部品）、３ａ  前面開口部（第２開口部）、３ｂ  側面開口部（第２開口部）、３ｃ  上側開口部（第１開口部）、３Ａ  前面部、３ＡＡ  リブ部、３Ｂ  第１側面部、３ＢＢ  リブ部、３Ｃ  第２側面部、３Ｄ  後面部、３ＤＤ  湾曲部、３Ｅ  底面部、４  部品、４Ａ  天面部（第２部品天面部）、４Ｂ  側面部（第２部品対向部）、４Ｃ  後面部（第２部品対向部）、４ＣＣ  湾曲部、６  凸部、７ａ  密着面、７ｂ  溝部、８ａ  爪部、８ｂ  爪部、９  天面穴、１０ａ  密着面、１０ｂ  折り返し部、１１ａ  爪部、１１ｂ  爪部、１２ａ〜１２ｆ  凸部、１３  傾斜部、１４Ａ〜１４Ｆ  フランジ部、１５  室外熱交換器。
【図１】
2014095533.tif 000003
【図２】
2014095533.tif 000004
【図３】
2014095533.tif 000005
【図４】
2014095533.tif 000006
【図５】
2014095533.tif 000007
【図６】
2014095533.tif 000008
【図７】
2014095533.tif 000009